(57)【要約】      （修正有） 【課題】  審美性を向上すると共に非蒸発型ゲッタの性能劣化や断線発生を抑制すること。【解決手段】  第２絶縁基板３０１とともに気密容器５０１を構成する第１絶縁基板１０１内面には帯状の複数のアノード電極１０２及び蛍光体７０１が積層され、第２絶縁基板３０１内面には帯状の複数のカソード電極３０２及び電子放出材料７０２が配設されている。各カソード電極３０２のメッシュ状の電子放出材料配設部３０３には電子放出材料７０２が被着され、各電子放出材料配設部３０３を相互接続する接続部３０４の幅広部４０１にはパッシベーション層７０３を介して、Ｚｒを含む非蒸発型ゲッタ４０２が被着されている。非蒸発型４０２は、幅広部４０１によって外部から視認できないように被われており、非蒸発型ゲッタ４０２とカソード電極間の反応が防止されてゲッタ機能の劣化や断線の発生が抑制され又、表示器の審美性が向上する。【選択図】  図７
2008034227.tif 000002
【特許請求の範囲】
【請求項１】
第１絶縁基板及び前記第１絶縁基板に対向して配設された第２絶縁基板を有する気密容器と、前記第１絶縁基板内面に積層された複数のアノード電極及び蛍光体と、前記第２絶縁基板内面に積層された複数のカソード電極及び電子放出材料とを有し、前記電子放出材料から放出される電子に基づいて前記蛍光体を選択的に発光させる自発光型表示器において、
前記各カソード電極は前記電子放出材料が配設される複数の電子放出材料配設部と前記電子放出材料配設部を相互に接続する複数の接続部とを有すると共に、前記接続部に対応する位置に配設された非蒸発型ゲッタを備えて成ることを特徴とする自発光型表示器。
【請求項２】
第１絶縁基板及び前記第１絶縁基板に対向して配設された第２絶縁基板を有する気密容器と、前記第１絶縁基板内面に積層された複数のアノード電極及び蛍光体と、前記第２絶縁基板内面に積層された複数のカソード電極及び電子放出材料とを有し、前記電子放出材料から放出される電子に基づいて前記蛍光体を選択的に発光させる自発光型表示器において、
前記各アノード電極は前記蛍光体が配設される複数の蛍光体配設部と前記蛍光体配設部を相互に接続する複数の接続部とを有すると共に、前記接続部に対応する位置に配設された非蒸発型ゲッタを備えて成ることを特徴とする自発光型表示器。
【請求項３】
前記接続部には幅広部が設けられて成り、前記非蒸発型ゲッタは前記幅広部に対応する位置に配設されて成ることを特徴とする請求項１又は２記載の自発光型表示器。
【請求項４】
前記非蒸発型ゲッタはＺｒを含むゲッタであり、パッシベーション層を介して前記幅広部に被着されて成ることを特徴とする請求項１乃至３のいずれか一に記載の自発光型表示器。
【請求項５】
前記パッシベーション層は、ＳｉＯ２の層、ＳｉＮの層又はゲッタ機能が無くなった前記非蒸発型ゲッタの層であることを特徴とする請求項４記載の自発光型表示器。
【請求項６】
前記非蒸発型ゲッタは前記幅広部が設けられていない側の前記絶縁基板上であって、前記幅広部に対向する位置に被着されて成ることを特徴とする請求項１乃至５のいずれか一に記載の自発光型表示器。
【請求項７】
前記非蒸発型ゲッタは、１ｍｍ×１ｍｍ以下の大きさであることを特徴とする請求項１乃至６のいずれか一に記載の自発光型表示器。
【請求項８】
前記カソード電極は非透光性材料によって形成されると共に前記電子放出材料配設部はメッシュ状に形成されて成り、前記電子放出材料はカーボンナノチューブを含み透光性を有するように形成されて成ることを特徴とする請求項１乃至７のいずれか一に記載の自発光型表示器。
【請求項９】
前記アノード電極とカソード電極間に配設されたゲート電極を備えて成ることを特徴とする請求項１乃至８のいずれか一に記載の自発光型表示器。
【発明の詳細な説明】
【技術分野】
【０００１】
本発明は、電子放出材料から放出される電子に基づいて蛍光体を発光させて表示を行う自発光型表示器に関する。
【背景技術】
【０００２】
従来から、第１絶縁基板及び前記第１絶縁基板に対向して配設された第２絶縁基板を有する気密容器と、前記第１絶縁基板内面に積層された複数のアノード電極及び蛍光体と、前記第２絶縁基板内面に積層された複数のカソード電極及び電子放出材料とを有し、前記電子放出材料から放出される電子に基づいて前記蛍光体を選択的に発光させて表示を行うようにした自発光型表示器が開発されている。
【０００３】
前記表示器の気密容器内には、残留ガス又は新たに発生したガスを吸着するためにゲッタが設けられている。
前記ゲッタは蒸発型ゲッタと非蒸発型ゲッタに大別される。近年、表示器には薄型化が要望されているが、前記蒸発型ゲッタはサイズが大きいため薄型の表示器には適しておらず、薄型の表示器としては非蒸発型ゲッタを備えたものが開発されている（例えば、特許文献１参照）。
【０００４】
前述したような従来の薄型の自発光型表示器として、電子放出材料としてカーボンナノチューブを使用したグラフィック表示形式のものがある。前記表示器において、透明電極は還元雰囲気で変質することがあるため、アルミ等の金属電極が用いられている。
このような構成の自発光型表示器において、審美性を高めるために、アルミ電極の幅等を小さく形成することによって、画素以外の部分の電極面積を減らして、背景を透過して観察できるようにしたものがある。
【０００５】
前記表示器では、画素の周囲に非蒸発型ゲッタを設けているが（特許文献１の図３参照）、前記非蒸発型ゲッタは透過性ではないため、前記ゲッタによって背景が遮られてしまい、表示器の審美的価値が低下するという問題がある。
また、気密容器を構成する一方の絶縁基板に外部端子を形成すると共に前記絶縁基板上の電極を前記外部端子に接続し、他方の絶縁基板上の電極を、銀等によって形成された導電性柱を介して前記外部端子に接続するように構成した場合、前記導電性柱が表示器外部から視認されるため、更に審美性が低下するという問題がある。
【０００６】
また、Ｚｒ等を含む非蒸発型ゲッタは、電極や配線パターンと反応して、非蒸発型ゲッタの性能が劣化したり、電極や配線パターンが断線する恐れがあるという問題がある。
【特許文献１】特開平２−１００２４２号公報
【発明の開示】
【発明が解決しようとする課題】
【０００７】
本発明は、審美性に優れた自発光型表示器を提供することを課題としている。
また、本発明は、審美性に優れると共に、非蒸発型ゲッタの性能劣化や断線の発生を抑制した自発光型表示器を提供することを課題としている。
【課題を解決するための手段】
【０００８】
本発明によれば、第１絶縁基板及び前記第１絶縁基板に対向して配設された第２絶縁基板を有する気密容器と、前記第１絶縁基板内面に積層された複数のアノード電極及び蛍光体と、前記第２絶縁基板内面に積層された複数のカソード電極及び電子放出材料とを有し、前記電子放出材料から放出される電子に基づいて前記蛍光体を選択的に発光させる自発光型表示器において、前記各カソード電極は前記電子放出材料が配設される複数の電子放出材料配設部と前記電子放出材料配設部を相互に接続する複数の接続部とを有すると共に、前記接続部に対応する位置に配設された非蒸発型ゲッタを備えて成ることを特徴とする自発光型表示器が提供される。
各カソード電極は電子放出材料が積層配設される複数の電子放出材料配設部と前記電子放出材料配設部を相互に接続する複数の接続部とを有し、非蒸発型ゲッタは、前記接続部に対応する位置に配設されている。
【０００９】
また、本発明によれば、第１絶縁基板及び前記第１絶縁基板に対向して配設された第２絶縁基板を有する気密容器と、前記第１絶縁基板内面に積層された複数のアノード電極及び蛍光体と、前記第２絶縁基板内面に積層された複数のカソード電極及び電子放出材料とを有し、前記電子放出材料から放出される電子に基づいて前記蛍光体を選択的に発光させる自発光型表示器において、前記各アノード電極は前記蛍光体が配設される複数の蛍光体配設部と前記蛍光体配設部を相互に接続する複数の接続部とを有すると共に、前記接続部に対応する位置に配設された非蒸発型ゲッタを備えて成ることを特徴とする自発光型表示器が提供される。
各アノード電極は蛍光体が積層配設される複数の蛍光体配設部と前記蛍光体配設部を相互に接続する複数の接続部とを有し、非蒸発型ゲッタは、前記接続部に対応する位置に配設されている。
【００１０】
ここで、前記接続部には幅広部が設けられて成り、前記非蒸発型ゲッタは前記幅広部に対応する位置に配設されて成るように構成してもよい。
また、前記非蒸発型ゲッタはＺｒを含むゲッタであり、パッシベーション層を介して前記幅広部に被着されて成るように構成してもよい。
また、前記パッシベーション層は、ＳｉＯ２の層、ＳｉＮの層又はゲッタ機能が無くなった前記非蒸発型ゲッタの層であってもよい。
【００１１】
また、前記非蒸発型ゲッタは前記幅広部が設けられていない側の前記絶縁基板上であって、前記幅広部に対向する位置に被着されて成るように構成してもよい。
また、前記非蒸発型ゲッタは、１ｍｍ×１ｍｍ以下の大きさであってもよい。
また、前記カソード電極は非透光性材料によって形成されると共に前記電子放出材料配設部はメッシュ状に形成されて成り、前記電子放出材料はカーボンナノチューブを含み透光性を有するように形成されて成るように構成してもよい。
また、前記アノード電極とカソード電極間に配設されたゲート電極を備えて成るように構成してもよい。
【発明の効果】
【００１２】
本発明の自発光型表示器は審美性が優れるという効果を奏する。
また、審美性に優れると共に非蒸発型ゲッタの性能劣化や断線の発生を抑制することが可能になる。
【発明を実施するための最良の形態】
【００１３】
以下、本発明の第１の実施の形態に係る自発光型表示器について説明する。尚、本第１の実施の形態では、電子源として電界電子放出源を使用した２極管構造の電界放射ディスプレイ（ＦＥＤ）の例を挙げている。
図１は本発明の第１の実施の形態に係る自発光型表示器の気密容器を構成する第１絶縁基板（本実施の形態ではアノード基板）の正面図である。
図２は、図１における領域Ａを拡大した部分拡大正面図である。
図３は本発明の第１の実施の形態に係る自発光型表示器の気密容器を構成する第２絶縁基板（本実施の形態ではカソード基板）の正面図である。
【００１４】
図４は、図３における領域Ｂを拡大した部分拡大正面図である。
図５は本発明の第１の実施の形態に係る自発光型表示器の正面図であり、前記第１絶縁基板と第２絶縁基板を重ねて周囲を封着することにより気密容器５０１を構成した状態を示す図である。
図６は、図５における領域Ｃを拡大した部分拡大正面図である。
図７は本発明の第１の実施の形態に係る自発光型表示器の部分側断面図である。
尚、各図１〜図７には示していないが、第１絶縁基板と第２絶縁基板間の間隔を所定距離に保持するために、第１絶縁基板と第２絶縁基板間に複数のスペーサ部材が設けられている。また、図１〜図７において、同一機能を有する部分には同一符号を付している。
【００１５】
以下、図１〜図７を用いて、本発明の第１の実施の形態に係る自発光型表示器について説明する。
ガラス等の透光性部材によって形成された第１絶縁基板１０１の内面上には、複数の帯状のアノード電極１０２が被着形成されている。各アノード電極１０２上には、画素を構成する複数の点状の蛍光体７０１が被着形成されている。尚、アノード電極１０２は、単純な帯状ではなく、後述するカソード電極の様な、幅広の蛍光体配設部と幅狭の接続部が交互に設けられ全体として帯状の電極形状に形成し、前記蛍光体配設部上に蛍光体を被着配設するように構成してもよい。アノード電極１０２はアルミ等によって形成した非透光性電極でもよく又、ＩＴＯ（Indium Tin Oxide）等によって形成した透光性電極でもよい。
【００１６】
各アノード電極１０２間の第１絶縁基板１０１内面上には、組成に銀を含む導電性材料によって構成された導電性柱７０４と電気的に接続するための円形状の複数の内部端子１０３が被着形成されている。
また、第１絶縁基板１０１の内面上には、外部の電子回路と接続するための複数の外部端子１０５が被着形成されている。各アノード電極１０２は外部端子１０５に直接接続されている。各内部端子１０３は、各アノード電極１０２間の第１絶縁基板１０１内面上に被着形成された複数の配線パターン１０４を介して、外部端子１０５に接続されている。
【００１７】
ガラス等の透光性部材によって形成された第２絶縁基板３０１の内面上には、帯状のカソード電極３０２が被着形成されている。第１絶縁基板１０１及び第２絶縁基板３０１は、所定間隔をおいて対向配設されると共に周囲が絶縁性シールガラス（図示せず）によって封着されることにより気密容器５０１を構成する。気密容器５０１内は真空雰囲気に保持される。
【００１８】
カソード電極３０２は、電子放出材料７０２が積層配設される複数の電子放出材料配設部３０３と電子放出材料配設部３０３を相互に接続する複数の接続部３０４とを有すると共に、接続部３０４に対応する位置に配設された非蒸発型ゲッタ４０２を備えている。
各アノード電極１０２と各カソード電極３０２はマトリクス状に構成され、画素を構成する各ドット状の蛍光体７０１と各ドット状の電子放出材料７０２とが対向するように配設される。
【００１９】
各カソード電極３０２は、導電性柱７０４、内部端子１０３及び配線パターン１０４を介して外部端子１０５に電気的に接続されている。尚、導電性柱７０４は、電気的な接続部材としての機能のみならず、絶縁基板１０１、３０１間を所定間隔に保持するためのスペーサ部材としての機能をも有している。
電子放出材料配設部３０３は透光性を有するようにメッシュ状に構成され又、電子放出材料７０２はカーボンナノチューブを含む炭素物質によって構成されて透光性を有するように構成されている。これにより、カソード電極３０２をアルミ等の非透光性材料によって構成した場合でも、第２絶縁基板３０１側から、電子放出材料配設部３０３及び電子放出材料７０２を介して蛍光体７０１の発光を視認することが可能になる。
【００２０】
接続部３０４は電子放出材料配設部３０３よりも幅狭に構成されている。接続部３０４には、接続部３０４の他の領域よりも幅広で円形状（例えば、内部端子１０３と同一形状）に構成された幅広部４０１と幅広部４０１よりも幅狭の部分が設けられている。非蒸発型ゲッタ４０２は幅広部４０１に対応する位置に配設されている。非蒸発型ゲッタ４０２は、幅広部４０１よりも小さく構成されており、幅広部４０１に隠れて外部からは視認できないように構成されている。
【００２１】
非蒸発型ゲッタ４０２は、組成としてＺｒを含むゲッタである。例えば、非蒸発型ゲッタ４０２として、Ｚｒ−Ｖ−Ｆｅを含むゲッタ、Ｚｒ−Ｖ−Ｆｅ−Ｎｉを含むゲッタ、Ｚｒ−Ａｌを含むゲッタが使用できる。
この場合、非蒸発型ゲッタ４０２は、１ｍｍ×１ｍｍ以下の大きさに形成することが好ましい。非蒸発ゲッタ４０２を前記範囲内の大きさに構成すれば、非蒸発型ゲッタ４０２を電極に直接当接するように配設した場合でも、非蒸発型ゲッタ４０２が酸素と反応した際に発生する熱は小さいため、電極を剥離したり断線を生じたりする事態の発生を抑制することが可能になる。
【００２２】
また、Ｚｒは金属と反応しやすく、反応によってゲッタ機能（ガス吸着機能）が劣化したり、配線パターン等に使用している金属に損傷を与えて断線が生じる恐れがある等の問題があるが、本実施の形態では、非蒸発型ゲッタ４０２が電極や配線パターン等の金属と直接接触するのを防止するためにパッシベーション層７０３を設けている。
即ち、幅広部４０１上には、非蒸発型ゲッタ４０２が幅広部４０１に直接接触するのを防止するためのパッシベーション層７０３が被着形成されており、非蒸発型ゲッタ４０２はパッシベーション層７０３上に被着形成されている。
【００２３】
このように、非蒸発ゲッタ４０２はパッシベーション層７０３を介して幅広部４０１に被着されているので、ゲッタ４０２の性能劣化を防止でき又、カソード電極３０２等の金属に断線等の損傷が発生するのを防止することが可能になる。
前記パッシベーション層７０３としては、例えば、ＳｉＯ２の層、ＳｉＮの層又はゲッタ機能が無くなった（ゲッタ機能が所定レベル以下に低下した）前記非蒸発型ゲッタが使用できる。
【００２４】
本第１の実施の形態に係る自発光型表示器を発光駆動する場合、発光させる画素に対応するアノード電極１０２及びカソード電極３０２を選択的に駆動することによって、前記両電極１０２、３０２間に電圧を印加する。これにより、当該画素に対応する電子放出材料７０２から電界の作用によって電子が放出され、前記画素に対応する蛍光体７０１が前記電子に基づいて発光する。アノード電極１０２及びカソード電極３０２を選択駆動することによって、グラフィック表示が行われる。
気密容器５０１内に製造時に残存しているガスやその後発生したガスは、非蒸発型ゲッタ４０２に吸着されるため、表示品位の劣化を抑制して、表示器の長寿命化が可能になる。
【００２５】
以上述べたように、本第１の実施の形態に係る自発光型表示器によれば、各カソード電極３０２は電子放出材料７０２が積層配設される複数の電子放出材料配設部３０３と電子放出材料配設部３０３を相互に接続する複数の接続部３０４とを有すると共に、接続部３０４に対応する位置に配設された非蒸発型ゲッタ４０２を備えている。
接続部３０４には幅広部４０１が設けられて成り、非蒸発型ゲッタ４０２は、非蒸発型ゲッタ４０２よりもサイズの大きい幅広部４０１に対応する位置に配設され、幅広部４０１に被われて外部から視認できないように構成されている。
【００２６】
このように、非蒸発型ゲッタ４０２を外部から視認できないように被うことができるため、審美性が優れるという効果を奏する。
また、パッシベーション層７０３を設けることにより、非蒸発型ゲッタ４０２は直接金属に当接しないように構成しているので、非蒸発型ゲッタ４０２の性能劣化や断線の発生を抑制することが可能になる。
また、非蒸発型ゲッタ４０２を電極に対応させて配設しているので、非蒸発型ゲッタ４０２が視界を妨げることがなくなり、透過性を向上させることが可能になる。
【００２７】
また、気密容器５０１を構成する一方の絶縁基板（本実施の形態では第１絶縁基板１０１）に外部端子１０５を形成すると共に前記絶縁基板上の電極（本実施の形態ではアノード電極１０２）を外部端子１０５に接続し、他方の絶縁基板（本実施の形態では第２絶縁基板３０１）上の電極を、銀等によって形成された導電性柱７０４を介して外部端子１０５に接続するように構成した場合には、導電性柱７０４又は内部端子１０３が表示器外部から視認されて目立つため審美性が低下するという問題があるが、本実施の形態では、複数の幅広部４０１を表示器全体にわたって均一に設けているため、幅広部４０１や内部端子１０３が表示器全体にわたって設けられるので、導電性柱７０４が目立つことなく幅広部４０１内に埋没し、均一な模様のように視認されるため審美性が向上するという効果を奏する。
【００２８】
図８は、本発明の第２の実施の形態に係る自発光型表示器の部分側断面図であり、前記第１の実施の形態の図７に対応して示した図であり、図７と同一機能を有する部分には同一符号を付している。
前記第１の実施の形態では、第２絶縁基板３０１に設けた接続部３０４の幅広部４０１上に非蒸発型ゲッタ４０２を配設するように構成したが、本第２の実施の形態では、幅広部４０１に対向する第１絶縁基板１０１上の位置に非蒸発型ゲッタ４０２を配設するように構成している。
【００２９】
即ち、幅広部４０１に対応する第１絶縁基板１０１上の位置に、換言すればアノード電極１０２間の位置に、非蒸発型ゲッタ４０２を設けて、外部から視認できないように幅広部４０１によって被うように構成している。前記以外の構成は前記第１の実施の形態と同様の構成である。
したがって、本第２の実施の形態によれば、前記第１の実施の形態と同様の効果を奏するばかりでなく、パッシベーション層７０３が不要になるという効果を奏する。
【００３０】
図９は、本発明の第３の実施の形態に係る自発光型表示器の部分側断面図であり、前記第１の実施の形態の図７に対応して示した図であり、図７と同一機能を有する部分には同一符号を付している。
前記第１の実施の形態では、第１絶縁基板１０１側にアノード電極１０２及び蛍光体７０１を積層配設すると共に、第２絶縁基板３０１側にカソード電極３０２及び電子放出材料７０２を積層配設するように構成したが、本第３の実施の形態では、第１絶縁基板１０１側に複数のカソード電極３０２及び電子放出材料７０２を積層配設すると共に、第２絶縁基板３０１側に複数のアノード電極１０２及び蛍光体７０１を積層配設するように構成している。
【００３１】
非透光性材料（例えばアルミ）によって形成されたアノード電極１０２は、図３のカソード電極と同様に帯状の構成となっており、円形状の幅広部４０１を有する接続部３０４及び透光性を有するようにメッシュ状に形成された蛍光体配設部９０１を備えた構成となっている。カソード電極３０２は図１のアノード電極と同様に帯状の構成となっており、蛍光体７０１に対向する位置に電子放出材料７０２が被着形成されている。
アノード電極１０２の幅広部４０１上に、パッシベーション層７０３及び非蒸発型ゲッタ４０２が積層配設されている。
【００３２】
即ち、各アノード電極１０２は蛍光体７０１が積層配設される複数の蛍光体配設部９０１と蛍光体配設部９０１を相互に接続する複数の接続部３０４とを有すると共に、接続部３０４に対応する位置に配設された非蒸発型ゲッタ４０２を備えた構成となっている。これにより、各非蒸発型ゲッタ４０２は対応するアノード電極１０２の陰に隠れて外部から視認できないように構成されている。前記以外の構成は前記第１の実施の形態と同様の構成である。
したがって、本第３の実施の形態においても、前記第１の実施の形態と同様に、審美性の向上や非蒸発型ゲッタ４０２の機能劣化防止等の効果を奏する。
【００３３】
図１０は、本発明の第４の実施の形態に係る自発光型表示器の部分側断面図であり、前記第３の実施の形態の図９に対応して示した図であり、図９と同一機能を有する部分には同一符号を付している。
前記第３の実施の形態では、第２絶縁基板３０１に設けた接続部３０４の幅広部４０１上に非蒸発型ゲッタ４０２を配設するように構成したが、本第４の実施の形態では、幅広部４０１に対向する第１絶縁基板１０１上の位置に非蒸発型ゲッタ４０２を配設するように構成している。
【００３４】
即ち、幅広部４０１に対応する第１絶縁基板１０１上の位置に、換言すればカソード電極３０２間の位置に非蒸発型ゲッタ４０２を設けて、幅広部４０１によって被うことにより外部から非蒸発型ゲッタ４０２が視認できないように構成している。
したがって、本第４の実施の形態によれば、前記第３の実施の形態と同様の効果を奏するばかりでなく、パッシベーション層７０３が不要になるという効果を奏する。
【００３５】
尚、前記各実施の形態においては２極管構造の表示器の例で説明したが、アノード電極１０２とカソード電極３０２間にゲート電極を設けるようにして３極管構造の表示器にも適用可能である。
また、前記各実施の形態においては、電極１０２、３０２を不透光性金属材料であるアルミによって構成したが、還元雰囲気での品質劣化が問題無いレベルであれば、一方の電極をＩＴＯやＳｎＯ２等によって形成した透光性の電極とし、表示を所定の一方向側から、あるいは両方向側から視認するように構成してもよい。
【００３６】
また、カソード電極３０２のみならずアノード電極１０２の形状も、図３のような複数のくびれを有する形状に形成したり、単純な帯状に形成する等、種々の変更が可能である。
また、前記各実施の形態は、グラフィック表示型の自発光型表示器の例で説明したが、セグメント表示型等の各種自発光型表示器にも適用可能である。
また、冷陰極型の自発光型表示器のみならず、熱陰極型の自発光型表示器やＰＤＰ（Plasma Display Panel）等の薄型の自発光型表示器にも適用可能である
【産業上の利用可能性】
【００３７】
冷陰極型や熱陰極型の陰極を用いた自発光型表示器をはじめとして、ＰＤＰ等の各種の自発光型表示器に利用可能である。
【図面の簡単な説明】
【００３８】
【図１】本発明の第１の実施の形態に係る自発光型表示器に使用する第１絶縁基板側の正面図である。
【図２】図１における領域Ａを拡大した部分拡大正面図である。
【図３】本発明の第１の実施の形態に係る自発光型表示器に使用する第２絶縁基板側の正面図である。
【図４】図３における領域Ｂを拡大した部分拡大正面図である。
【図５】本発明の第１の実施の形態に係る自発光型表示器の正面図である。
【図６】図５における領域Ｃを拡大した部分拡大正面図である。
【図７】本発明の第１の実施の形態に係る自発光型表示器の部分側断面図である。
【図８】本発明の第２の実施の形態に係る自発光型表示器の部分側断面図である。
【図９】本発明の第３の実施の形態に係る自発光型表示器の部分側断面図である。
【図１０】本発明の第４の実施の形態に係る自発光型表示器の部分側断面図である。
【符号の説明】
【００３９】
１０１・・・第１絶縁基板
１０２・・・アノード電極
１０３・・・内部端子
１０４・・・配線パターン
１０５・・・外部端子
３０１・・・第２絶縁基板
３０２・・・カソード電極
３０３・・・電子放出材料配設部
３０４・・・接続部
４０１・・・幅広部
４０２・・・非蒸発型ゲッタ
５０１・・・気密容器
７０１・・・蛍光体
７０２・・・電子放出材料
７０３・・・パッシベーション層
７０４・・・導電性柱
９０１・・・蛍光体配設部
【図１】
2008034227.tif 000003
【図２】
2008034227.tif 000004
【図３】
2008034227.tif 000005
【図４】
2008034227.tif 000006
【図５】
2008034227.tif 000007
【図６】
2008034227.tif 000008
【図７】
2008034227.tif 000009
【図８】
2008034227.tif 000010
【図９】
2008034227.tif 000011
【図１０】
2008034227.tif 000012